(57)【要約】【課題】容易な操作で二剤混合でき、その混合された内容物を一連の動作で噴出できる、新規なシリンジ型二剤混合噴出器を提供する。【解決手段】シリンジ型二剤混合噴出器10は、シリンジ20の内側に第1のピストン30とともにプランジャPを配置して2つの充填空間R1,R2を形成し、先端側シリンジ内周面に、ピストン30との間にバイパス60を形成する凹部25を設ける。プランジャPは、保持部材41と操作部材50を有し、保持部材41は、シャフト44と、複数のアーム45を有し、アーム自由端45bに、操作部材50の押し込みにより、その動きを拘束する受圧面48aを形成するとともに、アーム45に、シリンジ後端開口部A2から進入して撓み変形を生じる弾性舌片46と、シリンジ後端20eに係止される係止突起47を設ける。操作部材50は、シャフト44を通してスライド可能に組み付けられ、その押し込みの解除によりアーム45の拘束とともに係止突起46の係止を解除する。【選択図】図４
2014028082.tif 000002
【特許請求の範囲】
【請求項１】
シリンジの内側に第１のピストンを配置するとともにプランジャを配置してシリンジの先端側と後端側に２つの充填空間を形成し、先端側の充填空間を形成するシリンジの内周面に、前記ピストンとの間にバイパスを形成する凹部が設けられたシリンジ型二剤混合噴出器であって、
プランジャは、第２のピストンを有するピストン保持部材と、当該ピストン保持部材の後端に配置されるとともに使用者が操作するプランジャ操作部材とを有し、
ピストン保持部材は、第２のピストンを保持する保持部を有して、後方に向かって一体に伸びるシャフト部と、当該シャフト部を挟んで対向する位置に配置された変形及び復元が可能な複数のアームを有し、
当該アームの自由端に、前記プランジャ操作部材の押し込みにより、当該プランジャ操作部材が押圧してアームの動きを拘束する受圧面を形成するとともに、
当該アームに、シリンジの後端開口部から進入して当該シリンジの内周面の内周面との間で撓み変形を生じる弾性舌片と、当該弾性舌片の進入に次いでシリンジの後端に係止される係止突起が設けられたものであり、
プランジャ操作部材は、前記シャフト部を通して前記ピストン保持部材にスライド可能に組み付けられ、その押し込みの解除により前記アームの拘束を解除して弾性舌片の復元力を当該アームに作用させることで、アームを内向きに変形させて係止突起の係止を解除するものであることを特徴とするシリンジ型二剤混合噴出器。
【請求項２】
請求項１において、アームの自由端に段差を設け、当該段差の底面を前記受圧面に形成するとともに、当該段差の側面をテーパ面に形成したことを特徴とするシリンジ型二剤混合噴出器。
【請求項３】
請求項１又は２において、前記係止突起にテーパ面が形成されていることを特徴とするシリンジ型二剤混合噴出器。
【発明の詳細な説明】
【技術分野】
【０００１】
本発明は、シリンジの内側に第１のピストンを配置するとともにプランジャを配置してシリンジの先端側と後端側に２つの充填空間を形成し、先端側の充填空間を形成するシリンジの内周面に、前記ピストンとの間に迂回路を形成する凹部が設けられたシリンジ型二剤混合噴出器に関するものである。
【背景技術】
【０００２】
シリンジ型二剤混合噴出器には、例えば、凍結乾燥させた粉末薬剤を先端側に充填する一方、この粉末薬剤を溶解させるための溶解液を後端側に充填し、プランジャの押し込みによって第１のピストンを移動させることで、シリンジの内周面に形成された凹部と第１のピストンとの間に溶解液のバイパス（迂回路）を形成し、溶解液を粉末薬剤に混合させて内容物として取り出すものがある（例えば、特許文献１及び２参照）。
【先行技術文献】
【特許文献】
【０００３】
【特許文献１】実開平０５−０４９６３８号公報
【特許文献２】特開２０１０−２６０５９１号公報
【発明の概要】
【発明が解決しようとする課題】
【０００４】
しかしながら、従来の二剤混合噴出器は、プランジャがシリンジの先端側まで一気に押し込める構成のため、シリンジに形成した凹部と第１のピストンとの間のバイパスが有効に機能することなく、溶解液が完全に粉末薬剤に浸透しないまま、粉末薬剤を噴出させてしまうことがあった。これに対し、使用者は、二剤を確実に混合させるため、バイパスが形成されるまではプランジャを注意深く操作しなければならず、操作性に改善の余地があった。
【０００５】
本発明の目的とするところは、容易な操作で二剤を混合できるとともに、その混合された内容物を一連の動作で噴出させることができる、新規なシリンジ型二剤混合噴出器を提供することにある。
【課題を解決するための手段】
【０００６】
本発明は、シリンジの内側に第１のピストンを配置するとともにプランジャを配置してシリンジの先端側と後端側に２つの充填空間を形成し、先端側の充填空間を形成するシリンジの内周面に、前記ピストンとの間にバイパスを形成する凹部が設けられたシリンジ型二剤混合噴出器であって、
プランジャは、第２のピストンを有するピストン保持部材と、当該ピストン保持部材の後端に配置されるとともに使用者が操作するプランジャ操作部材とを有し、
ピストン保持部材は、第２のピストンを保持する保持部を有して、後方に向かって一体に伸びるシャフト部と、当該シャフト部を挟んで対向する位置に配置された変形及び復元が可能な複数のアームを有し、当該アームの自由端に、前記プランジャ操作部材の押し込みにより、当該プランジャ操作部材が押圧してアームの動きを拘束する受圧面を形成するとともに、
当該アームに、シリンジの後端開口部から進入して当該シリンジの内周面との間で撓み変形を生じる弾性舌片と、当該弾性舌片の進入に次いでシリンジの後端に係止される係止突起が設けられたものであり、
プランジャ操作部材は、前記シャフト部を通して前記ピストン保持部材にスライド可能に組み付けられ、その押し込みの解除により前記アームの拘束を解除して弾性舌片の復元力を当該アームに作用させることで、アームを内向きに変形させて係止突起の係止を解除するものであることを特徴とするものである。
【０００７】
本発明では、アームの自由端に段差を設け、当該段差の底面を前記受圧面に形成するとともに、当該段差の側面をアームの自由端側を案内するテーパ面に形成することができる。また、本発明では、前記係止突起にテーパ面を形成することもできる。
【発明の効果】
【０００８】
本発明によれば、プランジャを一気に押し込んでも、バイパスが形成されている状態で、プランジャが一度止まって押し込めなくなる。このため、使用者は、バイパスを有効に維持するため、初期状態から慎重にプランジャを押し込む必要がない。しかも、バイパスは有効な状態に維持されるため、プランジャを押し込んだ状態又はプランジャの押し込みを緩めた状態で噴出器１０を振る等の操作ができることで、二剤の混合に失敗することがない。加えて、プランジャの停止は、プランジャ操作部材の押し込みを緩めるだけで解除されるため、その後、噴出器を持ち替えることなく、再度プランジャを押し込めば、バイパスを通して混合させた内容物の噴出が可能になる。有効なバイパスを形成できる。従って、本発明によれば、容易な操作で二剤を混合させるとともに、その混合された内容物を一連の動作で噴出させることができる。
【０００９】
特に、本発明によれば、弾性舌片を係止突起に最も近い位置に配置できるため、混合途中にプランジャの押し込みを停止しても、係止突起が解除されることなく、二剤の混合を正確に行うことができる。
【図面の簡単な説明】
【００１０】
【図１】本発明の一実施形態である二剤混合噴出器であって、その操作前の初期状態を一部断面で示す側面図である。
【図２】同実施形態に係る、ピストン保持部材を後方から模式的に示した斜視図である。
【図３】図１の要部拡大図である。
【図４】同実施形態にあって、バイパスが形成された状態を一部断面で示す側面図である。
【図５】同実施形態にあって、プランジャが係止された状態を一部断面で示す側面図である。
【図６】同実施形態にあって、混合物を開始するためにプランジャの押し込みを緩めた状態を一部断面で示す側面図である。
【図７】同実施形態にあって、混合物の噴出が完了した状態を一部断面で示す側面図である。
【発明を実施するための形態】
【００１１】
以下、図面を参照して、本発明の一実施形態である二剤混合噴出器１０を詳細に説明する。
【００１２】
図１中、符号２０は、内容物を充填可能な合成樹脂製又はガラス製のシリンジである。シリンジ２０は、中空の胴部２１を有し、この胴部２１には、肩部２２を介して先端部２３が一体に繋がる。先端部２３は、胴部２１よりも小径としてなり、その内側に排出孔Ａ１が形成されている。また、胴部２１には、先端部２３と対向する後端部２０ｅに、指掛け部２４が一体に設けられている。指掛け部２４には、シリンジ２０内を外界に通じさせる開口部Ａ２が形成されている。この実施形態では、開口部Ａ２を通して第１のピストン３０が予めシリンジ２０内に配置されている。第１のピストン３０は、例えば、ゴムなどの弾性材料からなり、シリンジ胴部２１の内周面２１ｆに摺動可能に保持されている。これにより、シリンジ２０の先端側には、第１のピストン３０によって密封された先端側の充填空間Ｒ１が形成される。充填空間Ｒ１には、内容物としての第１剤Ｍ１が充填されている。第１剤Ｍ１としては、例えば、凍結乾燥させた粉末薬剤が挙げられる。
【００１３】
符号Ｐは、シリンジ２０内に収納される合成樹脂製のプランジャである。プランジャＰは、ピストン保持部材４１を有する。ピストン保持部材４１は、第２のピストン４０を保持する保持部４２を有する。保持部４２の先端には、ねじ部４３が形成されている。本形態では、第２のピストン４０は、ねじ部４３によって装着されている。第２のピストン４０は、第１のピストン３０と同様、例えば、ゴムなどの弾性材料からなり、シリンジ胴部２１の内周面２１ｆに摺動可能に保持されている。これにより、シリンジ２０の後端側には、第２のピストン４０によって密封された後端側の充填空間Ｒ２が形成される。充填空間Ｒ２には、内容物としての第２剤Ｍ２が充填されている。第２剤Ｍ２としては、例えば、凍結乾燥させた粉末薬剤を溶解させる溶解液が挙げられる。
【００１４】
また、保持部４２には後方に向かって伸びるシャフト部４４が形成されている。本実施形態では、シャフト部４４は、丸棒として構成されている。但し、本発明に従えば、シャフト部４４は角形等、その断面形状を問わない。更に、保持部４２には、２つのアーム４５が一体に設けられている。アーム４５は、シャフト部４４を挟んで対向する位置に配置されている。アーム４５はそれぞれ、図２に示すように、保持部４２の外周面に沿った形状を有し、保持部４２から軸線Ｏに沿って後方に伸びる。アーム４５はそれぞれ、外力を負荷することによって固定端４５ａを起点に径方向（軸線Ｏに直交する方向）内向きに変形させることができるとともに、その負荷を解除することによって初期位置（同図の状態）に復元させることができる。これにより、アームの自由端４５ｂは、径方向内向きに変位させることができるとともに、初期位置に復帰させることができる。
【００１５】
アーム４５には、弾性舌片４６が設けられている。弾性舌片４６は、アーム４５に形成された開口部Ａ３に配置されている。弾性舌片４６の固定端４６ａは、開口部Ａ３を形作る縁部のうち、先端側（アームの固定端４５ａ側）の開口部縁部４６ｃに対して一体に成形されている。弾性舌片４６の固定端４６ａは、アーム４５の外表面と同一面を形成する。本形態では、アーム４５は薄肉に形成されていることで、変形及び復元がし易いとともに、弾性舌片４６は、アーム４５よりも薄肉に形成されている。
【００１６】
弾性舌片４６は、後端側（アームの自由端４５ｂ側）に向かって外向きに湾曲する。また、図１に示すように、軸線Ｏを挟んで向い合う２つの末端４６ｂは、その間の径方向距離がシリンジ２０の内径（本形態では、シリンジの後端開口部Ａ２と同径）よりも大きく設定されている。これにより、弾性舌片４６は、シリンジ２０の後端開口部Ａ２に接触すると、その末端４６ｂ側が自由端側として、固定端４６ａを起点に撓み変形することで、シリンジ２０に進入することができる。本形態では、弾性舌片４６は、末端４６ｂに向かって外向きに湾曲していることから、シリンジの後端開口部Ａ２からシリンジ２０内に容易に進入させることができる。また、弾性舌片４６は、末端４６ｂによってシリンジの内周面２１ｆを摺動することができる。
【００１７】
さらに、アーム４５には、係止突起４７が一体に設けられている。本形態では、係止突起４７は、図３に示すように、アーム４５の自由端部分に一体に形成されている。これにより、本形態では、係止突起４７の後端面は、アームの自由端４５ｂとして構成される。なお、本形態では、同図に示すように、アームの自由端４５ｂは、軸線Ｏに直交する水平線に対して外向きに角度θで減少するテーパをつけている。θの値は、二剤混合噴出器の大きさ等に応じて、適宜変更することができる。但し、本発明に従えば、アームの自由端４５ｂは、アーム４５が初期状態にあるとき、係止突起４７の後端面を水平線に沿って平行な平坦面に形成するように構成することも可能である。
【００１８】
また、本形態では、図３に示すように、弾性舌片４６の末端４６ｂ（弾性舌片４６の自由端側）が、係止突起４７に最も近い位置に配置されるように構成されている。加えて、本形態では、係止突起４７に段差４８が設けられている。段差４８は、アーム４５の内側に形成されている。本形態では、段差４８（図３中では例示的に一方のみ表示）は、平坦な段差底面４８ａと、この底面４８ａに繋がる段差側面４８ｂで形作られる。本形態では、段差底面４８ａは後述のとおり、受圧面を構成する。また段差側面４８ｂは、外向きに傾斜するテーパ面として形成されている。
【００１９】
さらに、シャフト部４４には、軸線Ｏに沿って伸びる２つの支持部４９が一体に設けられている。支持部４９は、シャフト部４５を挟んで対向する位置に配置されている。支持部上端面４９ａはそれぞれ、保持部４２からの長さがアーム４５に設けた段差底面４８ａと同一の平坦な面を構成する。これにより、本形態では、支持部端面４９ａは、段差底面４８ａとともに後述の受圧面を構成する。
【００２０】
一方、図１中、符号５０は、プランジャＰを構成するプランジャ操作部材である。プランジャ操作部材５０は、円筒形の本体５０ａを有する。本体５０ａの内側には、貫通孔Ａ４が形成されている。貫通孔Ａ４は、同図に示すように、シャフト部４４をスライド可能に貫通させることができる。また、プランジャ操作部材５０は、その先端面５０ｆがアーム４５に形成された段差底面４８ａに接触するとともに、支持部４９に形成された支持部端面４９ａに接触することで、ピストン保持部材４１に対して軸線Ｏ方向に位置決めできる。本実施形態では、プランジャ操作部材５０は、シャフト部４４に対してスライド可能に圧入されている。加えて、プランジャ操作部材５０の後端には、図１に示すように、フランジ５０ｂが設けられている。フランジ部５０ｂは、使用者がプランジャＰを押し込むための操作部として構成されている。これにより、プランジャ操作部材５０は、フランジ部５０ｂを押圧すると、ピストン保持部材４１をシリンジ２０内に押し込むことができる。すなわち、後端側の充填空間Ｒ２に充填された第２剤Ｍ２は、プランジャＰの押し込みによって、第１のピストン３０を先端部２３に向かって押圧する。
【００２１】
加えて、シリンジ２０の胴部２１には、その内周面２１ｆに、軸線Ｏ周りの少なくとも１箇所に凹部２５が形成されている。凹部２５は、先端側の充填空間Ｒ１に配置されている。凹部２５は、図１に示すように、軸線Ｏに沿って伸び、その長さＬは、第１のピストン３０の全長よりも長く設定されている。これにより、第１のピストン３０がシリンジ２０の先端側に移動すると、図４に示すように、シリンジ２０との間に、先端側の充填空間Ｒ１を後端側の充填空間Ｒ２に通じさせるバイパス６０が形成される。
【００２２】
ここで、本実施形態の使用方法を説明する。
使用者は先ず、図１に示す状態で、人差し指と中指を指掛け部２４に掛けてプランジャ操作部５０ｂを親指で押さえて、プランジャ操作部材５０を押し込む。すると、プランジャ操作部材５０の先端面５０ｆは、ピストン保持部材４１の段差底面４８ａ及び支持部上端面４９ａを押圧するため、ピストン保持部材４１及びプランジャ操作部材５０はプランジャＰとして一体となってシリンジ２０内に押し込まれる。このため、第２のピストン４０もシリンジ２０内に押し込まれることで、第２剤Ｍ２の圧送が可能になる。このとき、第１のピストン３０は、第２剤Ｍ２からの付勢力により先端部２３に向かって移動する。そして、第１のピストン３０は、凹部２５に到達すると、図４に示すように、シリンジ２０との間にバイパス６０を形成する。これにより、充填空間Ｒ２内の第２剤Ｍ２は、バイパス６０を通して充填空間Ｒ１内に流入することで第１剤Ｍ１に浸透する。このとき、第１のピストン３０と第２のピストン４０との間の圧力が減少することにより、第１のピストン３０は、凹部２５上に停止して、バイパス６０を確保する。
【００２３】
更に、プランジャＰを押し込むと、アーム４５に設けた弾性舌片４６は、その弾性舌片４６が後端側に向かって外向きに湾曲し、その末端４６ｂが径方向外向きに指向するため、シリンジ後端開口部Ａ２からシリンジ２０内に進入させることができる。更に、弾性舌片４６がシリンジ２０内に進入すると、プランジャ操作部材５０の先端面５０ｆがアーム４５に形成した段差底面４８ａを受圧面として押圧して、アーム４５を拘束するため、弾性舌片４６には、図５に示すように、アーム４５とつながる固定端４６ａを起点にした撓み変形が生じる。このため、弾性舌片４６は、シリンジの内周面２１ｆを摺動することができる。これにより、図５に示すように、プランジャＰは、弾性舌片４６が邪魔になることなく押し込まれることで、当該弾性舌片４６に次いで係止突起４７がシリンジの後端２０ｅに接触するまで、第２剤Ｍ２を第１剤Ｍ１に浸透させることができる。
【００２４】
図５に示すように、係止突起４７がシリンジ２０の後端２０ｅに接触すると、プランジャＰを押し込むことができなくなる。このため、例えば、同図に示すように、第２のピストン４０が第１のピストン３０に接触する位置で係止突起４７がシリンジの後端２０ｅに接触するように設定すれば、薬剤Ｍ２を完全に充填空間Ｒ１内に流入させることができる。
【００２５】
プランジャＰを押し込めなくなった後は、プランジャＰの押し込みを緩めると、プランジャ操作部材５０からの押圧力に伴う、アームの自由端４５ｂの拘束が解除される。このとき、シリンジの内周面２１ｆに接触する弾性舌片４６に生じていた撓み変形の復元力が反作用として、アーム４５に作用する。このため、アーム４５は、図６に示すように、プランジャ操作部材５０をシャフト部４４に沿って押し戻しつつ、固定端４５ａを起点に斜め内向きに変形する。このため、係止突起４７もアームの自由端４５ｂ側に追従するように斜め内向きに変位することで、同図に示すように、当該係止突起４９の係止状態が解除される。
【００２６】
特に、本実施形態では、プランジャＰを押し込んだとき、プランジャ操作部材５０の先端面５０ｆは、アーム４５の段差側面４８ｂで規制されることで、ピストン保持部材４１を効果的に押し込むことができる。また、プランジャＰの押し込みを解除すれば、アーム４５の段差側面４８ｂがプランジャ操作部材５０に対する案内になるため、アームの自由端４５ｂ側が容易にプランジャ操作部材５０を押し戻しつつ内向きに変形することができる。
【００２７】
本実施形態では、アーム４５の係止が解除されるのに伴いプランジャ操作部材５０が押し戻された後、図６に示すように、係止突起４７は、プランジャ操作部材５０の先端面５０ｆに接触させることができる。特に、本実施形態では、上述のとおり、係止突起４７の後端面は、アームの自由端４５ｂとして構成されるとともに、角度θのテーパ面としてなる。このため、アームの自由端４５ｂは、同図に示すように、アーム４５が内向きに変形した状態で平坦な受圧面として構成されることで、再度プランジャＰを押し込めば、プランジャ操作部材５０の先端面５０ｆから押圧力を効果的に受けることができる。これにより、プランジャＰの押し込みを緩めた後、再びプランジャＰを押し込めば、図７に示すように、バイパス６０を通して混合させた内容物Ｍ３の噴出が可能になる。
【００２８】
上述のように、本実施形態によれば、プランジャＰを一気に押し込んでも、バイパス６０が形成されている状態で、シリンジの後端２０ｅに係止突起４７が係止されることで、プランジャＰが一度止まって押し込めなくなる。このため、使用者は、バイパス６０を有効に維持するため、初期状態から慎重にプランジャＰを押し込む必要がない。しかも、バイパス６０は有効な状態に維持されるため、プランジャＰを押し込んだ状態又はプランジャＰの押し込みを緩めた状態で噴出器１０を振る等の操作ができることで、二剤の混合に失敗することがない。加えて、プランジャＰの停止は、プランジャ操作部材５０の押し込みを緩めるだけで解除されるため、その後、噴出器１０を持ち替えることなく、再度プランジャＰを押し込めば、バイパス６０を通して混合させた内容物Ｍ３の噴出が可能になる。従って、本発明によれば、容易な操作で二剤を混合させるとともに、その混合された内容物Ｍ３を一連の動作で噴出させることができる。
【００２９】
また、本形態によれば、シリンジ２０に対するアーム４５の係止が当該アーム４５に設けた弾性舌片４６の復元力で解除されるため、アーム４５に対して弾性舌片４６をどの位置に配置しても、アームの自由端４５ｂに対する押圧を解除すれば、アーム４５の係止を解除することができる。このため、本実施形態のように、弾性舌片４６を係止突起４７に最も近い位置に配置することができる。この場合、アーム４５が係止される直前まで弾性舌片４６が変形しないことから、第１剤Ｍ１と第２剤Ｍ２との混合の途中にプランジャＰの押し込みを緩めたり、解除しても、アーム４５はシリンジ２０に対して係止可能な状態を維持する。このため、本実施形態のように、弾性舌片４６を係止突起４７に最も近い位置に配置すれば、混合途中にプランジャＰの押し込みを停止しても、係止突起４６が解除されることなく、薬剤Ｍ１と薬剤Ｍ２との混合を正確に行うことができる。
【００３０】
上述したところは、本発明の様々な実施形態であるが、本発明に従えば、様々な変更が可能となる。例えば、アーム４５は、２以上設けることができる。特に、本実施形態のように、偶数個で配置すれば、軸線Ｏ周りのバランスが安定するため、良好な操作が実現できる。また、弾性舌片４６は、本形態のように、アーム４５に形成した開口部Ａ３に収納すれば、噴出器１０の大径化を防止することができるが、本発明に従えば、開口部Ａ３に収納させることなく、アーム４５の外表面から伸ばすこともできる。上述の実施形態では、混合物Ｍ３を通常の混合物として直接噴出させるとして説明したが、本発明に従えば、泡として噴出させ、または、霧状に噴霧させるなど、混合物Ｍ３を様々な形態で噴出させることができる。
【産業上の利用可能性】
【００３１】
本発明は、シリンジの内側に第１のピストンを配置するとともにプランジャを配置してシリンジの先端側と後端側に２つの充填空間を形成し、先端側の充填空間を形成するシリンジの内周面に、前記ピストンとの間にバイパスを形成する凹部が設けられたシリンジ型二剤混合噴出器であれば、様々な形態のものに採用することができる。内容物も、粉体等の固形物と液体との組み合わせに限定されることなく、固形物同士や液体同士等、様々な組み合わせを採用することができる。
【符号の説明】
【００３２】
１０    シリンジ型二剤混合噴出器
２０    シリンジ
２１    胴部
２２    肩部
２３    先端部
２４    指掛け部
３０    第１のピストン
４０    第２のピストン
４１    ピストン保持部材
４２    保持部
４３    ねじ部
４４    シャフト部
４５    アーム
４５ａ  アーム固定端
４５ｂ  アーム自由端
４６    弾性舌片
４６ａ  弾性舌片固定端
４６ｂ  弾性舌片末端
４７    係止突起
４８    段差
４８ａ  段差底面
４８ｂ  段差側面
４９    支持部
４９ａ  支持部上端面
５０    プランジャ操作部材
５０ｂ  本体
５０ｂ  フランジ部
Ａ１    排出孔
Ａ２    シリンジ後端開口部
Ａ３    開口部
Ａ４    貫通孔
Ｍ１  第１剤
Ｍ２  第２剤
Ｍ３  混合物
Ｒ１  先端側充填空間
Ｒ２  後端側充填空間
【図１】
2014028082.tif 000003
【図２】
2014028082.tif 000004
【図３】
2014028082.tif 000005
【図４】
2014028082.tif 000006
【図５】
2014028082.tif 000007
【図６】
2014028082.tif 000008
【図７】
2014028082.tif 000009